(57)【要約】      （修正有）【課題】複数のトレーを箱体に収納する際、トレー内の収容物に荷重が作用しないように且つ効率良く多数収納できる収納容器の構造を提供する。【解決手段】緩衝性を有するシートを中間部分で折り曲げて左右面を重ねて閉じ、その閉じた状態で複数の果実を１個づつ所定間隔をおいて挟むように収納できるポケット１１を形成した弾性変形可能なトレー１と、箱体本体の対向する内壁にトレー１の閉じた状態の外縁部１３を支持できる複数の支持部２１ａを所定間隔おいて形成した箱体２とからなり、果実が収納されたトレー１を箱体２の対向する支持部２１ａ間に挿入して複数列設する。【選択図】図１
0003165587.tif 000002
【実用新案登録請求の範囲】
【請求項１】
緩衝性を有するシートを中間部分で折り曲げて左右面を重ねて閉じ、その閉じた状態で複数の収納物を１個づつ所定間隔をおいて挟むように収納できるポケットを形成した弾性変形可能なトレーと、箱体本体の対向する内壁に前記トレーの閉じた状態の外縁部を支持できる複数の支持部を所定間隔おいて形成した箱体とからなり、収納物が収納された前記トレーを前記箱体の対向する支持部間に挿入して複数列設した、収納容器の構造。
【請求項２】
収納物が果実又は野菜等の青果物であって、トレーを箱体に列設した際に収納した青果物の蔕が下向きとなる向きにポケットを形成した、請求項１記載の収納容器の構造。
【請求項３】
箱体の支持部の間隔を、隣接するトレーのポケット同士が接触しない間隔に形成した、請求項１又は２記載の収納容器の構造。
【請求項４】
トレーの折り曲げ部分にミシン目を形成した、請求項１〜３いずれか記載の収納容器の構造。
【考案の詳細な説明】
【技術分野】
【０００１】
本考案は、イチゴやビワ等の損傷しやすい果実を収納するための収納容器の構造に関する。
【背景技術】
【０００２】
イチゴやビワ等の果実は、パックや平トレーに寝かせるように収納する方法が一般的で、果実の一番柔らかい部分で自重を受けており、隣接する果実同士の接触も避けらない。それにより、果実の劣化や損傷を早め、鮮度維持が大変難しいものであった。また、パックや平トレーは積み重ねが困難で、運送コスト削減の余地がなかった。
【０００３】
この損傷しやすい果実を１個つづ保護するように収納できるトレーが特許文献１，２に開示されている。特許文献１に記載の技術は、緩衝性を有するシートに果実を１個づつ配置できるポケットを複数形成したトレーを２体使用し、果実を対向する方向から挟むようにして収納することを特徴としている。特許文献２に記載の技術は、緩衝性を有するシートに果実を１個づつ配置できる複数のポケットを左右対称に形成し、そのシートを左右面の中間部分で折り曲げて左右いずれかのポケットに配置した果実を対向する方向から挟むように収納することを特徴としている。
【０００４】
ところで、これらの技術のトレーは、段ボール箱等の箱体に収納して運搬する際、横向きの姿勢で上下に積み重ねるのが一般的であるが、このとき上下のポケット同士が接触するから、下方のトレーほど受ける荷重が大きくなって果実を傷めてしまい、多数のトレーを積み重ねできないという問題があった。また、静止状態では影響のない個数を積み重ねていても、運搬中の振動によっては荷重が大きく作用して果実が損傷することがあり、このようなトレーは積み重ねし難いものであった。
【先行技術文献】
【特許文献】
【０００５】
【特許文献１】特開２００９−９６５４７号公報
【特許文献２】実開昭６２−３４６５号公報
【考案の概要】
【考案が解決しようとする課題】
【０００６】
本考案が解決しようとする課題は、従来のこれらの問題点を解消し、複数のトレーを箱体に収納する際、トレー内の収容物に荷重が作用しないように且つ効率良く多数収納できるようにすることにある。
【課題を解決するための手段】
【０００７】
かかる課題を解決した本考案の構成は、
１）  緩衝性を有するシートを中間部分で折り曲げて左右面を重ねて閉じ、その閉じた状態で複数の収納物を１個づつ所定間隔をおいて挟むように収納できるポケットを形成した弾性変形可能なトレーと、箱体本体の対向する内壁に前記トレーの閉じた状態の外縁部を支持できる複数の支持部を所定間隔おいて形成した箱体とからなり、収納物が収納された前記トレーを前記箱体の対向する支持部間に挿入して複数列設した、収納容器の構造
２）  収納物が果実又は野菜等の青果物であって、トレーを箱体に列設した際に収納した青果物の蔕が下向きとなる向きにポケットを形成した、前記１）記載の収納容器の構造
３）  箱体の支持部の間隔を、隣接するトレーのポケット同士が接触しない間隔に形成した、前記１）又は２）記載の収納容器の構造
４）  トレーの折り曲げ部分にミシン目を形成した、前記１）〜３）いずれか記載の収納容器の構造
にある。
【考案の効果】
【０００８】
本考案の前記１）記載の構成によれば、トレーは１段に収納されるから、トレー上に他のトレーの荷重が作用することはなく、ポケット内の収容物も自重以外の荷重は作用しない。また、車両による運搬中の発進及び停止で横方向の慣性が作用してもトレーが弾性変形し、収容物にかかる横方向の荷重も緩和される。したがって、従来技術と比較して収納物に影響を与えることなく多数のトレーを効率良く収納でき、一度に大量の搬送が可能となる。
【０００９】
本考案の前記２）記載の構成によれば、強固な部位である蔕で青果物の自重が支えられるから、損傷しやすい軟質部位をより確実に保護できる。
【００１０】
本考案の前記３）記載の構成によれば、トレーが横方向に大きく揺動したり変形したりしても、隣接するトレーのポケット間に間隔が形成されているから接触し難く、ポケット内の収納物に影響を与えない。
【００１１】
本考案の前記４）記載の構成によれば、ミシン目によってトレーが鋭角に折り曲げやすくなって外縁部同士が密接し、取り扱い中にトレーが不用意に開いて収納物がポケットから脱落するのを防止できる。
【図面の簡単な説明】
【００１２】
【図１】実施例のトレーの収納を示す説明図である。
【図２】実施例のトレーの展開図である。
【図３】実施例のトレーの側面図である。
【図４】実施例のトレーを収納した箱体の平面図である。
【考案を実施するための形態】
【００１３】
以下、本考案を実施するための形態を実施例と図面に基づいて具体的に説明する。
【実施例】
【００１４】
図１は実施例のトレーの収納を示す説明図、図２は実施例のトレーの展開図、図３は実施例のトレーの側面図、図４は実施例のトレーを収納した箱体の平面図である。図中、１はトレー、１１はポケット、１２は折曲げ部、１２ａはミシン目、１３は外縁部、２は箱体、２１は支持部材、２１ａは支持部、Ａは果実である。
【００１５】
本実施例のトレー１は、図２，３に示すように、表面が起毛されたような繊維質で全体が弾性変形できる材質のシートに果実Ａ（イチゴ）の形状に合せた同じ向きの複数のポケット１１を縦横に配列されるように左右対称に成形し、そのシートの左右面の中間部分に折曲げ部１２を形成し、その折曲げ部１２にミシン目１２ａを加工している。トレー１は繊維質の他、発泡スチロール等の緩衝性を有する材質のものを使用することができる。
【００１６】
箱体２は、図１，４に示すように段ボール箱からなり、その対向する内壁に帯状の段ボールを折り曲げて複数の支持部２１ａを形成した支持部材２１を接着している。支持部２１ａの間隔は、トレー１を収納した際に隣接するポケット１１間に間隔が空くように形成している。なお、この支持部材２１に代えて、箱体２の側壁を一部切り欠き、内部空間側へ折り曲げてトレー１の外縁部１３を挟むように支持できる支持部を形成してもよい。箱体２や支持部材２１は段ボール製の他、硬質のプラスチック製や発泡スチロール製のものでもよい。
【００１７】
本実施例では、左右いずれか片方のポケット１１に果実Ａを配置し、折曲げ部１２で折り曲げて他方を重ねて閉じ、果実Ａを対向する方向から挟むように収納する。折り曲げ後は必要に応じて外縁部１３同士を粘着テープ等で固定する。このとき、折曲げ部１２にミシン目１２ａが加工されているから、鋭角に折り曲げやすくなって外縁部１３同士が密接し、取り扱い中にトレー１が不用意に開いて果実Ａがポケット１１から脱落し難い。
【００１８】
このトレー１を果実Ａの蔕が下側を向くように縦向きの姿勢にし、図１に示すように、その姿勢で箱体２内に上方から差し込み、左右の外縁部１３を対向する支持部材２１の支持部２１ａ間に挿入して支持する。このようにして、複数のトレー１を本立てのように横方向に列立して収納する。収納後は図４に示すように隣接するトレー１のポケット１１間に間隔が形成される。なお、図４は段ボール箱の蓋の図示を省略している。
【００１９】
収納した複数のトレー１は１段に配置されているから、トレー１上に他のトレー１の荷重が作用することはなく、ポケット１１内の果実Ａも自重以外の荷重は作用しない。また、車両による運搬中の発進及び停止の横方向に慣性が作用してもトレー１が弾性変形し、果実Ａにかかる横方向の荷重も緩和される。したがって、従来技術と比較して果実Ａに影響を与えることなく多数のトレー１を効率良く収納でき、一度に大量の搬送が可能となる。
【００２０】
また、トレー１内の果実Ａは蔕が下側を向いているから、強固な部位である蔕で果実Ａの自重が支えられ、損傷しやすい軟質部位をより確実に保護できる。トレー１が横方向に大きく揺動したり変形したりしても、隣接するトレー１のポケット１１間に間隔が空いているから接触し難く、ポケット１１内の果実Ａに影響を与えない。出荷前やトッピング前に果実Ａを検査する場合は、トレー１を左右に倒して開閉し、果実Ａを左右のポケット１１に移し替えることで、果実Ａに手を直接触れることなく表裏を検査できる。
【産業上の利用可能性】
【００２１】
本考案の技術は、イチゴやビワ等の損傷しやすい果実の他、野菜の収納にも応用できる。
【符号の説明】
【００２２】
１  トレー
１１  ポケット
１２  折曲げ部
１２ａ  ミシン目
１３  外縁部
２  箱体
２１  支持部材
２１ａ  支持部
Ａ  果実
【図１】
0003165587.tif 000003
【図２】
0003165587.tif 000004
【図３】
0003165587.tif 000005
【図４】
0003165587.tif 000006